【手続補正書】
【提出日】平成24年12月18日(2012.12.18)
【手続補正１】
【補正対象書類名】明細書
【補正対象項目名】０００４
【補正方法】変更
【補正の内容】
【０００４】
従来、このようなシート綴じ装置は、綴じ処理する個所に合せて２個のステイプラを設けており、それぞれのステイプラにはモータ（駆動部）を有し、各モータを駆動することにより、それぞれの綴じ処理を行っていた（特許文献１参照）。一方、綴じ位置にそれぞれ配置された２個のステイプラを１個のモータで駆動する構造も知られている（特許文献２参照）。この特許文献２に記載された構造の場合、２個のステイプラは常に同時に駆動されることになる。なお、上述の特許文献１、２に記載された構造の場合、シートの上側にステイプラを配置しているが、シートの下側にステイプラを配置した構造も知られている（特許文献３参照）。
【手続補正２】
【補正対象書類名】明細書
【補正対象項目名】００１２
【補正方法】変更
【補正の内容】
【００１２】
本発明は、このような事情に鑑み、複数のステイプラ（針打ち込み手段）を共通の駆動部で駆動する構造で、所定のステイプラを空打ち動作させても他のステイプラで無駄な針が出ない構造を実現するものである。
【手続補正３】
【補正対象書類名】明細書
【補正対象項目名】００１３
【補正方法】変更
【補正の内容】
【００１３】
本発明は、シート束の異なる個所にそれぞれ針を打ち込む複数の針打ち込み手段と、該各針打ち込み手段に針の打ち込み動作を行わせる駆動手段と、を備え、前記各針打ち込み手段が前記駆動手段により打ち込み動作を行うことにより、針が打ち込み位置まで送られるシート綴じ装置であって、前記駆動手段は、前記複数の針打ち込み手段に針打ち込み動作を行わせるための共通の駆動部と、該駆動部による回転を、それぞれの前記各針打ち込み手段の針打ち込み方向の動作に変換する複数の変換手段と、を備え、該各変換手段は、前記各針打ち込み手段による針の打ち込み動作のタイミングがずれるように、前記駆動部による回転を変換する位相をそれぞれずらして配置されており、前記駆動手段は、前記複数の針打ち込み手段のうちの所定の針打ち込み手段に対して打ち込み動作を行わせることを特徴とするものである。
【手続補正４】
【補正対象書類名】明細書
【補正対象項目名】００１４
【補正方法】変更
【補正の内容】
【００１４】
本発明によれば、共通の駆動部により複数の針打ち込み手段を１個ずつ作動させることができる。また、駆動手段は、所定の針打ち込み手段に打ち込み動作を行わせることができる。このため、複数の針打ち込み手段を共通の駆動部で駆動する構造で、所定の針打ち込み手段を空打ち動作させる際に、他の針打ち込み手段を駆動しなくてすみ、この空打ち動作により無駄な針が生じることはない。
【手続補正５】
【補正対象書類名】明細書
【補正対象項目名】００３９
【補正方法】変更
【補正の内容】
【００３９】
また、このようにステイプラ４１ａ、４１ｂに針打ち込み動作を行わせる駆動手段である駆動機構４３は、図６ないし図９に示すように、共通の駆動部としての１個のモータ８０と、カム８１ａ、８１ｂと、レバー部材８２と、突起部８３と、ばね８４（図９）とを備える。このうちのモータ８０は、ステイプラ４１ａ、４１ｂの間に配置され、正逆両方向に回転駆動可能である。また、カム８１ａ、８１ｂは、レバー部材８２の先端部に固定した突起部８３と係合し、モータ８０により正逆両方向に回転してレバー部材８２を移動させるものである。このために、カム８１ａ、８１ｂは、モータ８０の回転が歯車機構８０ｂにより伝達される回転軸８０ａの軸方向複数個所（図示の例では４個所）に、それぞれ固定配置される。このうちの２個のカム８１ａは、図６の右側のステイプラ４１ａの両側に、残りの２個のカム８１ｂは、図６の左側のステイプラ４１ｂの両側に、それぞれ配置される。
【手続補正６】
【補正対象書類名】特許請求の範囲
【補正対象項目名】全文
【補正方法】変更
【補正の内容】
【特許請求の範囲】
【請求項１】
シート束の異なる個所にそれぞれ針を打ち込む複数の針打ち込み手段と、
該各針打ち込み手段に針の打ち込み動作を行わせる駆動手段と、を備え、
前記各針打ち込み手段が前記駆動手段により打ち込み動作を行うことにより、針が打ち込み位置まで送られるシート綴じ装置であって、
前記駆動手段は、
前記複数の針打ち込み手段に針打ち込み動作を行わせるための共通の駆動部と、
該駆動部による回転を、それぞれの前記各針打ち込み手段の針打ち込み方向の動作に変換する複数の変換手段と、を備え、
該各変換手段は、前記各針打ち込み手段による針の打ち込み動作のタイミングがずれるように、前記駆動部による回転を変換する位相をそれぞれずらして配置されており、
前記駆動手段は、前記複数の針打ち込み手段のうちの所定の針打ち込み手段に対して打ち込み動作を行わせることを特徴とするシート綴じ装置。
【請求項２】
前記変換手段は、
前記針打ち込み手段に針の打ち込み動作を行わせるべく、この打ち込み動作の方向に対応した方向に移動する移動部材と、
前記移動部材と係合し、前記駆動部により回転して該移動部材を移動させるカムと、
前記移動部材を該カムの回転に追従させる追従手段と、を備え、
前記各変換手段のそれぞれのカムは、互いに回転方向の位相をずらして配置されていることを特徴とする、請求項１に記載のシート綴じ装置。
【請求項３】
前記追従手段は、前記移動部材を前記カムのカム面に押し付ける方向に付勢する付勢手段であることを特徴とする、請求項２に記載のシート綴じ装置。
【請求項４】
前記追従手段は、前記移動部材に該移動部材の移動方向に直角な方向に突設され、前記カムと係合する突起部と、該カムの周囲に固定配置され、該カムのカム面と相似形の内周面を有し、該内周面と前記カム面との間に前記突起部を配置可能な規制部材と、を備え、
前記突起部を該規制部材の内周面と係合させることにより、前記移動部材を前記カムの回転に追従させることを特徴とする、請求項２に記載のシート綴じ装置。
【請求項５】
前記駆動部により正逆両方向に回転し、複数のクランク部を有するクランクシャフトを有し、
前記変換手段は、
前記針打ち込み手段に針の打ち込み動作を行わせるべく、該打ち込み動作の方向に対応した方向に移動する移動部材と、
前記クランク部と、
両端部をそれぞれ前記移動部材と前記クランク部とに回転自在に連結し、前記クランクシャフトの回転により前記移動部材を移動させる連結アームと、を備え、
前記複数のクランク部は、互いに回転方向の位相をずらして配置されていることを特徴とする、請求項１に記載のシート綴じ装置。
【請求項６】
前記各針打ち込み手段が針の打ち込み動作を行わない待機位置を検知する待機位置検知手段と、針の打ち込み動作を行っている針打ち込み手段を検知する動作検知手段と、これら各検知手段の情報に基づいて、前記所定の針打ち込み手段に針打ち込み動作を行わせる制御手段と、を備えたことを特徴とする、請求項２ないし５のうちの何れか１項に記載のシート綴じ装置。
【請求項７】
前記各針打ち込み手段の打ち込み位置に針が存在するか否かを検知する針検知手段を有し、
前記制御手段は、前記針検知手段の情報に基づいて、打ち込み位置に針が存在しない所定の針打ち込み手段を選択し、前記待機位置検知手段及び前記動作検知手段の情報に基づいて、選択した前記所定の針打ち込み手段に打ち込み動作を行わせることを特徴とする、請求項６に記載のシート綴じ装置。